(57)【要約】      （修正有）【課題】手提げ缶に収容し、これに塗料を入れる内容器として極薄の被膜袋を配して、塗装容器を構成し、この、手提げ缶を積み重ねて整理しても、荷崩れが起きない塗装容器を提供する。【解決手段】吊りツル付き外容器５と、該外容器５の内部に自在に収容され、収容された該外容器の開口縁に沿って外側へ折り曲げる折り代２ｂを有する被膜袋２と、該折り代を折り曲げた該被膜袋を該外容器の開口縁で係止する一方、刷毛削ぎを有した係止部材３と、該係止部材の上部に係止し塗料の乾燥を防ぐ一方、該外容器を積み重ねて荷崩れ防止用の支持翼４ａを有した蓋部材４を備えた塗装容器を構成する。【選択図】図１
0003157603.tif 000002
【実用新案登録請求の範囲】
【請求項１】
吊りツル付き外容器と、該外容器の内部に自在に収容され、収容された該外容器の開口縁に沿って外側へ折り曲げる折り代を有する皮膜袋と、該折り代を折り曲げた該皮膜袋を該外容器の開口縁で係止する一方、刷毛削ぎを有した係止部材と、該係止部材の上部に係着し塗料の乾燥を防ぐ一方、該外容器を積み重ねて荷崩れ防止用の支持翼を有した蓋部材を備え、該皮膜袋に塗料を入れる事を特徴とする塗装容器。
【請求項２】
前記皮膜袋は、筒状の形体をなした軟質性の材料によって形成された塗料を収容する容器であって、上部は開口で平らな底面を有する事を特徴とする請求項１記載の塗装容器。
【請求項３】
前記係止部材は、前記外容器に皮膜袋の折り代で外側に折り曲げられた前記折り代が滑落する事を防ぐため外側から挟持する挟着翼、及び刷毛に付き過ぎた塗料を調接する刷毛削ぎを有する事を特徴とする請求項１記載の塗装容器。
【請求項４】
前記蓋部材は、前記係止部材の上部に係着し塗料の乾燥を防ぎ、前記外容器上部を挟持して固定する為の固定翼を有する一方、前記外容器を積み重ねて荷崩れ防止用の支持翼を有する事を特徴とする請求項１記載の塗装容器。
【請求項５】
前記皮膜袋は、折り代、及び吊り手切り込み、並びに折り返し、折り返し用の切り込みを有する事を特徴とする請求項２記載の塗装容器。
【請求項６】
前記係止部材は、刷毛に付き過ぎた塗料を削ぎ良くするために、直線で結ばれた多角形の開口縁に刷毛削ぎを有する事を特徴とする請求項３記載の塗装容器。
【請求項７】
前記係止部材は、前記皮膜袋の滑落を防ぐため前記外容器の外周面及び開口縁に固定させるため、挟着力に富む材料による挟着翼を有する事を特徴とする請求項３記載の塗装容器。
【考案の詳細な説明】
【技術分野】
【０００１】  本考案は、塗料を収容する二重構造の塗装容器、その皮膜袋及び皮膜袋を外容器に係止する一方、刷毛に付着した塗料を削ぎ落とす係止部材と、該係止部材の上部に係着して塗料の乾燥を防ぐ一方、外容器を積み重ねて荷崩れを防ぐ蓋部材に関するものである。
【背景技術】
【０００２】  従来から、構築物に塗料を塗布する際には、持ち歩きの出来る小さな外容器（手提げ缶）などに小分けして行っているのが実態である。しかしながら、この外容器に塗料が付着し、他の色には使用できず、外容器の数を多く必要としていた。これらを解決するため外容器の中に使い捨て用の内容器を収容して外容器を繰り返し使用できるものが提案されている（参考文献１参照。）。
また、安価な袋状の内容器も提案されている（参考文献２参照。）。
【先行技術文献】
【特許文献】
【０００３】
【特許文献１】実開平１−１３７３００号公報
【特許文献２】登録実用第３１３１００４号
【考案の開示】
【考案が解決しようとする課題】
【０００４】  しかしながら、二重構造の塗装容器の内容器は、高価で使い捨てには不向きであること、袋状のものには皺が寄ると言う難点がある。また、外容器には刷毛に付き過ぎた塗料を調節する為の刷毛削ぎ部材が備わっておらず、手提げ缶の外部を汚していた。また、作業修了後に外容器を積み重ね整理のための適宜な部材も無く、また、適宜の蓋部材もないため休憩時や、作業終了後に使いの残した塗料が乾燥して、無駄に廃棄することもしばしばあった。
【課題を解決するための手段】
【０００５】  吊りツル付き外容器と、該外容器の内部に自在に収容され、収容された該外容器の開口縁に沿って外側へ折り曲げる折り代を有する皮膜袋と、該折り代を折り曲げた該皮膜袋を該外容器の開口縁で係止する一方、刷毛削ぎを有した係止部材と、該係止部材の上部に係着し塗料の乾燥を防ぐ一方、該外容器を積み重ねて荷崩れ防止用の支持翼を有した蓋部材を備え、該皮膜袋に塗料を入れる事を特徴とする。
このように塗装容器を二重構造とし、安価な皮膜袋に塗料を入れるようにすれば、低廉な使い捨てが出来、其の上係止部材によって挟着することで皮膜袋の滑落もなくなるし、係止部材に設けられた刷毛削ぎ部分で塗料の調節も速やかに行える。
また、係止部材の上部に係着する蓋部材によって、塗装容器が密閉されるため塗料の乾燥も防がれ、同時に蓋部材に備えられた支持翼によって外容器を積み重ねて整理が出来るのである。
ここで上記係止部材は、上記皮膜袋の外側へ折り曲げられて上記外容器の開口縁を包み込んだ折り代の部分を、上記外容器の外周面及び開口縁と上記係止部材の当接部と挟着翼とで挟み込んで皮膜袋の滑落を防ぐことが好ましい。このように、上記係止部材が、皮膜袋の滑落を防ぐ機能と、刷毛に付き過ぎた塗料の調節を容易にするために刷毛面が平行に接面するよう、直線によって形成された多角形の開口部を兼備したことも好ましく、これによって常に刷毛の整備が可能となり作業効率を向上させる。
また、上記皮膜袋は不透溶液性及び非溶解性のものであれば極薄の軟質性で安価な材料にすれば、加工も容易で且つ、価格も安くすることが出来ることが好ましい。また、平らな底面としたのは外容器内部に密着して皺が寄りにくくなるのである。
【考案の効果】
【０００６】  本考案の塗装容器によれば、皮膜袋の製作費を安価に抑えられる事があげられる。また、係止部材も常に手提げ缶に常設して使用される事から、いつでも刷毛の整備が出来て作業効率が高められる。なお、係止部材に係着される蓋部材によって、乾燥が防止され、使い残りの塗料も廃棄することなく経済効率も高められ、従来の方法に比べ相応の経費削減がもたらされる。
【図面の簡単な説明】
【０００７】
【図１】図１は、本考案の第１の実施形態の塗装容器の一部分を欠き取った図を示す斜視図である。
【図２】図２は、第１の実施形態の塗装容器の、外容器の内部に収容する皮膜袋を示す斜視図である。
【図３】図３は、第１の実施形態の塗装容器の、外容器の内部に皮膜袋を収容した状態を示した斜視図である。
【図４】図４は、第１の実施形態の塗装容器の係止部材の斜視図である。
【図５】図５は、第１の実施形態の塗装容器の蓋部材の斜視図である。
【考案を実施するための形態】
【０００８】  以下に、本考案の塗装容器、その皮膜袋及び係止部材並びに蓋部材の実施形態について説明する。
［第１の実施形態］
図１は、本考案の第１の実施形態の塗装容器の一部分を欠き取った図を示す斜視図である。
図１に示すように、第１の実施形態の塗装容器１は、塗料を入れる皮膜袋２、を収容する円筒形の吊りツル５ａを有する手提げ缶（本考案の外容器に相当する。）５、及び係止部材３、並びに蓋部材４、から構成される。手提げ缶５は、塗料を入れる皮膜袋２を収容し、収容された皮膜袋２は折り返し２ｅを手提げ缶５の開口縁５ｂに沿って外側へ折り曲げて手提げ缶５の開口縁５ｂを覆い保護する。手提げ缶５の開口縁５ｂで折り曲げられた、皮膜袋２の折り返し２ｅの上面に係止部材３の当接部３ｃを当接させ、同時に折り代２ｂを、係止部材３に有する挟着翼３ｂによって、手提げ缶５の上辺外側面を挟み付けて固定し、皮膜袋２が作業中に滑落する事を防ぎ、同時に係止部材３に設けられている直線によって結ばれた多角形の開口部３ｅの刷毛削ぎ３ａによって、刷毛に付き過ぎた塗料の調接が行われることとなる。また、皮膜袋２に収納された塗料の乾燥を防ごうと、係止部材３の上部には、蓋部材４を係着させ、この蓋部材４の外周縁に下向きで、固定翼４ｂを設けて手提げ缶５の外側面を挟み付けて、蓋部材４を係着させる。また、上向きに設けられた支持翼４ａは、手提げ缶５を積み重ねた際の手提げ缶５の荷崩れを防ぐため缶低を挟み込んで安定させるために設けられたものでる。
このような構成にすることによって、手提げ缶５を汚すことなく繰り返しの使用に耐えられる。また、皮膜袋２と係止部材３と蓋部材４を組み合わせることにより、手提げ缶５の中へ皮膜袋２が滑落する事を係止部材３が防ぎ、同時に刷毛を常に整備しながら作業が出来るのであり、また、これに蓋部材４を備えたことによって塗料の乾燥から逃れられて、休憩時や作業終了後にあっても乾燥による変質等を防げるのである。また、構造を二重にしたことによって、本考案の塗装容器の手提げ缶５も皮膜袋２を交換（使い捨て）すれば、急遽の色や塗料の材質等の変更の注文にも低廉な費用で速やかに応じられるのである。
ここで、本実施形態の手提げ缶５は、堅牢な容器であれば材質等に拘る必要はなく、また、円形や箱型などの形式に拘る必要も無く、塗料を収容できる形態をなした容器であれば足りる。一方皮膜袋２にあっては、取り替えて使い捨て使用となるため、前述の通り軟質性で不透溶液性及び非溶解性のものであればよしとするが、大量に使い捨てされる事が予想されるため、環境面への配慮が必要である。例えば、紙や生分解性のプラスチック或いは可燃性などであれば自家処理が可能となり理想的である。なお、被膜袋にあっても円形等の形にこだわる必要も無く塗料を収容できる形態をなした容器であれば足りるのである。
【０００９】  図２は、第１の実施形態の塗装容器の、手提げ缶に収容する皮膜袋を示す図であり、図３は、第１の実施形態の塗装容器の、手提げ缶に皮膜袋を収容した状態を示す斜視図である。
図２に示すように、皮膜袋２は、平らな底面２ａを有した軟質性の材料による筒状のもので、手提げ缶５の縁に沿って外側へ折り曲げるための折り返し２ｅと、折り返し２ｅによって折り返されて手提げ缶５の縁に覆い被さってこれを防護する折り代２ｂ、折り代２ｂが折り返されたことによって現れる内側面２ｆが備えられていて、開口縁２ｈから所定の距離を隔てた位置まで折り返しを容易にする為の切り込み２ｄがあり、手提げ缶５の吊りツル５ａの根元に当接する吊り手切り込み２ｃは大きく切り込みが入れられている。
図３に示すように、手提げ缶５に収容した皮膜袋２は、切り込み２ｄが設けられた折り代２ｂを、手提げ缶５開口縁５ｂに沿って折り返し２ｅによって外側へ折り曲げられた、折り代２ｂと内側面２ｆとを図１に示した係止部材３で挟持し、皮膜袋２を手提げ缶５に固定する。
【００１０】  図４は、第１の実施形態の塗装容器の係止部材を示す斜視図であり、一定の厚みを有する板バネ性の部材で構成された係止部材３である。中央には刷毛に付き過ぎた塗料を調節する刷毛削ぎ３ａが直線で結ばれた多角形の開口３ｅが繰り抜かれた形で設けられている。また、外周部には、手提げ缶５に収容された皮膜袋２の折り代２ｂを手提げ缶５の開口縁５ｂとの間で係止部材３の当接部３ｃで押さえ込んで、さらには、挟着翼３ｂが手提げ缶５開口縁５ｂに沿って外側へ折り曲られた皮膜袋２の折り代２ｂを、手提げ缶５の外周面との間に挟んで固定させ、作業中に皮膜袋２の滑落を防ぐものである。
ここで、係止部材３の挟着翼３ｂは、挟着力を必要とするためバネの力が働く構造とすることが望まれるのである。また、開口部３ｅの直線によって結ばれた多角形の開口部３ｅの刷毛削ぎ３ａは、削ぎ効率をよくするために、刷毛の平たい面が平行に接面するようにするためのものである。
【００１１】  図５は、第１の実施形態の塗装容器の蓋部材の斜視図であり、一定の厚みを有する平板により構成された蓋部材４であり、この平板の周囲の上向きに設けられた翼部分が手提げ缶５の缶低部分を支える支持翼４ａであり、下向きに設けられた翼部分は固定翼４ｂある。手提げ缶５に収容された被膜袋２の折り代２ｂを係止部材３が挟持し、その係止部材３の上に係着して中の塗料の乾燥を防ぐものであり、固定翼４ｂは係止部材３及び手提げ缶５の外周を挟むようにして蓋部材４を固定するのである。また、支持翼４ａは上記によって固定された蓋部材４の上に手提げ缶５を積み重ねた際に、ずれて荷崩れする事を防ぐために手提げ缶５の缶低を支持翼４ａが受け支えるためのものである。
【符号の説明】
【００１２】  １  塗装容器
２  被膜袋
２ａ  底面
２ｂ  折り代
２ｃ  吊り手切り込み
２ｄ  切り込み
２ｅ  折り返し
２ｆ  内側面
２ｈ  開口縁
３  係止部材
３ａ  刷毛削ぎ
３ｂ  挟着翼
３ｃ  当接部
３ｅ  開口部
４  蓋部材
４ａ  支持翼
４ｂ  固定翼
４ｃ  蓋板
【図１】
0003157603.tif 000003
【図２】
0003157603.tif 000004
【図３】
0003157603.tif 000005
【図４】
0003157603.tif 000006
【図５】
0003157603.tif 000007